(57)【要約】【課題】本発明は、ディメタライズド・ホログラムに従来の機能に加え、複写機による真贋判定機能を付加することを目的とする。【解決手段】ホログラム形成層を有するホログラムシートであって、前記ホログラム形成層上に形成された回折格子の表面上に、１つ以上の第１の反射パターンを配列した第１表示部と、１つ以上の第２の反射パターンを配列した第２表示部とを有し、前記第1の表示部と前記第２の表示部は隣接しており、前記第１表示部に占める前記第１の反射パターンの面積比率と該第２表示部に占める前記第２の反射パターンの面積比率とが同等またはほぼ同等であることを特徴とするホログラムシートを作製した。【選択図】図２
2010197666.tif 000002
【特許請求の範囲】
【請求項１】
ホログラムシート基材上にホログラム加工層、回折格子、マスク層から形成されたホログラム形成層を有するホログラムシートであって、
前記ホログラム形成層上に形成された回折格子の表面上に、
１つ以上の第１の反射パターンを配列した第１表示部と、
１つ以上の第２の反射パターンを配列した第２表示部とを有し、
前記第1の表示部と前記第２の表示部は隣接しており、
前記第１表示部に占める前記第１の反射パターンの面積比率と該第２表示部に占める前記第２の反射パターンの面積比率が同等またはほぼ同等であること、
を特徴とするホログラムシート。
【請求項２】
前記第１反射パターンと前記第２反射パターンとはそれぞれの表示部内を一定のピッチで配列されていることを特徴とする請求項１記載のホログラムシート
【請求項３】
前記第１反射パターン形状と前記第２反射パターン形状とが異なること
を特徴とする請求項１又は２に記載のホログラムシート。
【請求項４】
複写により前記第１の表示部が潜像領域となり、前記第２の表示部が非潜像領域となること、
を特徴とする請求項１乃至３記載のホログラムシート。
【発明の詳細な説明】
【技術分野】
【０００１】
本発明は、複写機による偽造を防止するホログラムシートに関するものである。
【背景技術】
【０００２】
近年、複写機、特にカラーコピー機の精度向上にしたがって、その普及が著しく、それを利用して株券、債券、商品券等有価証券類や各種証明書類の複写による偽造を容易にしている。
【０００３】
上記の複写による偽造を防止する手段として、有価証券類等そのものを複写困難なものとするか、あるいは複写が困難なものを、本物であることの証明として有価証券類等に貼り付ける方法がある。
【０００４】
前者の複写を困難にする方法としては、例えば、複写機等の光学機器では解像不可能な細かい文字やパターンの印刷物にしたり、あるいは金属光沢インキや蛍光インキで印刷したりする方法が知られている。
【０００５】
しかし、これらの方法では、本物を知らない使用者が本物と偽物を区別して認識することが困難である恐れがあり、偽物を使用し続けるといった問題点があった。
【０００６】
そこで、コピー技術の一つとして、潜像領域と非潜像領域を設け、目視で見ると同じように見えるが、コピーをすると複写機の解像度等によりずれが生じ、そのズレにより潜像の付加を確認できる印刷物が知られている(例えば特許文献１参照)。
【０００７】
一方、後者の複写や複製が困難なものを貼り付ける方法としては、例えば、その代表例として、ホログラムを利用する（ホログラム箔を転写する）方法が知られている。
【０００８】
ホログラムは、基材やフィルムに、熱と圧力によって微細な凹凸(回折格子)を表面につけ、そこに反射層としてアルミを蒸着することで独特の光沢を再現している。複製の困難さのために偽造防止機能に優れ、各種セキュリティ用途に多く使用されている。
【０００９】
セキュリティ用途に用いられるホログラムのひとつに、ディメタライズと呼ばれるものがある。ディメタライズとは、このアルミ蒸着を部分的に除去する技術であり、この技術が使用されたホログラムをディメタライズド・ホログラムと呼んでいる。
【００１０】
ディメタライズを行うことにより、ある程度任意の形状に表現することが可能で、通常のホログラムよりも形状等の再現が難しいため偽造が困難となり、セキュリティ商材としてのレベルが一段高くなる。また、文字や模様などを形成することが可能なため、デザイン性の向上付加も特徴のひとつと言える(例えば特許文献２参照)。
【００１１】
さらにホログラムはその性質上、特定の角度で見たときのみ画像が確認できるのに対し、ディメタライズド・ホログラムは常に目視で用意に確認が可能であるという特徴もある。
【００１２】
しかしながら、ディメタライズド・ホログラム自体には、形状等の再現の難しさから、セキュリティレベルの向上を果たしているが、複写機による真贋判定機能は有していないという点があった。
【先行技術文献】
【特許文献】
【００１３】
【特許文献１】特開２００６−２０５６２５号公報
【特許文献２】特開平１１−２８６１９４号公報
【発明の概要】
【発明が解決しようとする課題】
【００１４】
そこで本発明は、かかる従来技術の問題点を解決するものであり、その課題とするところは、ディメタライズド・ホログラムに従来の機能に加え、複写機による偽造防止のための真贋判定機能を付加したホログラムシートの提供を目的とする。
【課題を解決するための手段】
【００１５】
本発明において上記課題を達成するために、まず請求項１の発明では、ホログラムシート基材上にホログラム加工層、回折格子、マスク層から形成されたホログラム形成層を有するホログラムシートであって、前記ホログラム形成層の一表面上に形成された回折格子の表面上に、１つ以上の第１の反射パターンを配列した第１表示部と、１つ以上の第２の反射パターンを配列した第２表示部とを有し、前記第１表示部に占める前記第１の反射パターンの面積比率と、前記第２表示部に占める前記第２の反射パターンの面積比率が同等またはほぼ同等であることを特徴とするホログラムシートとしたものである。
【００１６】
また、請求項２の発明では、前記第１反射パターンと前記第２反射パターンはそれぞれの表示部内を一定のピッチで配列されていることを特徴とする請求項１記載のホログラムシートとしたものである。
【００１７】
また、請求項３の発明では、前記第１反射パターンと前記第２反射パターンの形状とが異なることを特徴とする請求項１又は２記載のホログラムシートとしたものである。
【００１８】
また、請求項４の発明では、複写により前記第１の表示部が潜像領域となり、前記第２の表示部が非潜像領域となることを特徴とする請求項１乃至３記載のホログラムシートとしたものである。
【発明の効果】
【００１９】
本発明のホログラムシートを用いることで、複写した複写物には、ホログラムシート上では目視によりパターンが視認できなかったホログラムシート内のパターンが複写物に潜像領域として視認される。すなわち本発明のホログラムシートにより、元来ホログラムが持つ複写機による複写牽制機能に加え、真贋判定および、偽造防止効果の向上が得られる。
【図面の簡単な説明】
【００２０】
【図１】本発明のホログラムシートの一事例を説明するもので、（ａ）は、本発明のホログラムシート１の構成図であり、（ｂ）、（ｃ）は、複写前の平面図であり、（ｄ）および（ｅ）は、複写後の第１の表示部または第２の表示部を形成するパターンの平面図である。
【図２】（ａ）は、本発明の第１の実施例を用いたホログラムシートの複写物を表す平面図であり、（ｂ）は、第１の表示部の拡大図であり、（ｃ）は、第２の表示部の拡大図である。
【図３】（ａ）は、本発明の第２の実施例を用いたホログラムシートの複写物を表す平面図であり、（ｂ）は、第１の表示部の拡大図であり、（ｃ）は、第２の表示部の拡大図である。
【図４】（ａ）は、本発明の第３の実施例を用いたホログラムシートの複写物を表す平面図であり、（ｂ）は、第１の表示部の拡大図であり、（ｃ）は、第２の表示部の拡大図である。
【図５】（ａ）は、本発明の第４の実施例を用いたホログラムシートの複写物を表す平面図であり、（ｂ）は、第１の表示部の拡大図であり、（ｃ）は、第２の表示部の拡大図である。
【発明を実施するための形態】
【００２１】
本発明の実施形態について図面を用いて説明する。しかしながら、本発明は以下に述べる実施形態に限定されるものではなく、その要旨を逸脱しない範囲で種々に変形することが可能である。
【００２２】
（ホログラム形成層の構成）
図１（ａ）は、本発明のホログラムシート１の構成図であり、ホログラムシート１は、ホログラムシート基材２、ホログラム形成層３及び接着剤層８で形成される。ホログラムシート基材２はシート基材２ａと剥離層２ｂからなり、シート基材２ａの一方の面に、塗工機、グラビアコーター、グラビア印刷機やスクリーン印刷機などを利用し、透明又は半透明の剥離層２ｂを積層する。ホログラム形成層３は、ホログラム加工層４、回折格子５、マスク層７で形成され、基材１０に貼付する場合はホログラム形成層３が接着剤層８を介して基材１０に接着、形成される。ホログラム形成層３の作製方法としては、剥離層２ｂの表面に光透過性部材である透明又は半透明のホログラム加工層４を積層し、ホログラム効果を発現するために微細な凹凸又は凹凸パターンでなる回折格子５を形成する。
【００２３】
前記回折格子５は、図示しない金属製のスタンパーの一表面に形成された回折格子５の凹凸を、ホログラム加工層４表層に熱転写するなどして形成される。正確には、スタンパーに形成された凹凸は、ホログラム加工層４では凹凸の形状が逆になり回折格子５となる。
【００２４】
次に、ホログラム加工層４表面にアルミニウムなどの光反射性部材を真空蒸着やスパッタリングした後、グラビア印刷機などでマスク層７を形成し、アルカリ溶液に浸漬することにより、マスク層７で保護されていない前記回折格子５に形成されたアルミニウムは溶解、除去され、透明な光透過性部材からなる凹凸５ｂを形成する。従って、光透過性部材はホログラム加工層４となる。
【００２５】
一方、マスク層７で被覆されている領域のみアルミニウム（図の太線部分）が残存し、アルミニウムが密着した凹凸である、光反射性部材を密着した凹凸５ａを形成する。具体的には、ホログラム画像領域６のうち、第１の表示部６１には、アルミニウムが残存する第１の反射パターン６ａ（図の太線部分）が形成される。また、第２の表示部６２には、アルミニウムが残存する第２の反射パターン６ｂ（図の太線部分）が形成される。また、ホログラム画像領域６の周辺の透明領域６ｃは、ホログラム加工層４に形成した前記回折格子５及び／又は平坦面を備えるが、光透過性部材で透明又は半透明であることが望ましい。更に、マスク層７、第１の反射パターン６ａ、第２の反射パターン６ｂ及び透明領域６ｃの下層に、接着剤層８をホログラムシート１全体の厚みがほぼ均一になるように積層する。
【００２６】
なお、ホログラムシート１に光透過性部材から成る透明又は半透明の領域を形成する方法としては、水溶性インキでホログラム加工層４の前記回折格子５にマスク層を形成した後、真空蒸着などで光反射性部材を密着し、前記マスク層を除去し、透明又は半透明に形成する方法でも構わない。なお、図１（ａ）のホログラム形成層３は、説明の便宜上、相当の厚みがあるように示しているが、実際の構成では極めて薄い層である。また、反射パターン６ａ、６ｂにはアルミニウム、ホログラム加工層４ は、透明又は半透明の熱可塑性樹脂や熱硬化性樹脂又は、これらを組み合わせて使用することが望ましい。
【００２７】
ホログラムシート基材２のシート基材２ａは、透明プラスチックが望ましく、例えば、ＰＥＴなどの公知の樹脂を使用すれば良い。剥離層２ｂ、ホログラム加工層４、接着剤層８は、熱可塑性や熱硬化性などの公知の樹脂を適宜選択すれば良いが、ホログラム加工層４は光透過性部材である透明又は半透明な樹脂が望ましい。また、前記光反射性部材には、アルミニウム、銅、ニッケル、錫などがあるが、高輝度で経済性に有利なアルミニウムが好適であり、真空蒸着やスパッタリングを利用して形成すれば良い。また、光反射性部材にアルミニウムを使用した場合、１００〜２０００Åの厚みが望ましい。
【００２８】
（ホログラムシートの厚み）
また、図１（ａ）は模式図であり、実際のホログラムシート１において、シート基材２ａの厚みは、０．０１５ｍｍ〜０．０２５ｍｍ、基材１０に貼付される前記ホログラム形成層３の厚みは、０．００５ｍｍ〜０．０３０ｍｍが望ましく、ホログラム形成層３の厚みは極めて薄くすることが偽造防止には有効である。
【００２９】
（回折格子の構成）
ホログラム形成層３の回折格子５の構成としては、公知のレリーフ型ホログラム、レインボー型ホログラムなどの公知である微細な凹凸パターンを形成したホログラムを使用すれば良く、特に制約されるものではない。
【００３０】
図１（ｂ）、（ｃ）は、ホログラムシート１のホログラム形成層３を基材１０に貼付した一例を示した平面図である。ホログラムシート１には、第１の表示部６１と第２の表示部が設けられている。図１（ｂ）では、第１の表示部６１は、「ＣＯＰＹ」という文字としているが、本来は目視では判断できない状態であるため、説明上視認可能なように点線で表記してある。一方、第２の表示部６２は第１の表示部６１を囲むように図柄や「ＳＡＭＰＬＥ」という文字を形成している。なお、基材１０は紙として、料額、人像、地紋などの必要な情報をオフセット印刷、凹版印刷やスクリーン印刷により施されていることが望ましい。
【００３１】
また、図１（ｃ）は、第２の表示部６２は、「ＣＯＰＹ」という文字としているが、本来は目視では判断できない状態であるが、説明上視認可能なように点線で表記してある。一方、第１の表示部６１は第２の表示部６２を囲むように図柄や「ＳＡＭＰＬＥ」という文字を形成している。なお、基材１０は紙として、料額、人像、地紋などの必要な情報をオフセット印刷、凹版印刷やスクリーン印刷により施されていることが望ましい。
【００３２】
図１（ｄ）、（ｅ）は、図１（ｂ）記載のホログラムシートを複写してできた複写物の平面図である。図１（ｄ）は、複写すると第１の表示部６１が一つの面として捉えられる潜像領域となって、第１の表示部６１が「ＣＯＰＹ」という文字となって浮かび上がり、本物を知らない使用者でも明確に複写物であることが認識されるようになる。
【００３３】
一方、図１（ｅ）は、複写すると第１の表示部６１が一つの面として捉えられる潜像領域となって、第１の表示部６１が「ＣＯＰＹ」の周囲の図柄が浮かび上がることで、「ＣＯＰＹ」という文字を視認できるようになり、本物を知らない使用者でも明確に複写物であることが認識されるようになる。
【００３４】
なお、第１の表示部６１および第２の表示部６２でなる情報としては、文字、数字、図柄、マークなど適宜選択すれば良いし、その組み合わせでも良い。また、第１の反射パターン６ａおよび第２の反射パターン６ｂの形状は特に限定するものではなく、円、多角形、図形、マーク、文字、異方性を有する楕円、数字などを適宜選択すれば良いし、その組み合わせでも良い。また複写で用いる複写機は特に限定されるものではなく、市販されている製品を適宜選択すれば良い。
【実施例１】
【００３５】
図２（ａ）は、第１の表示部６１と第２の表示部６２のパターンを形成したホログラムシートを複写した複写物の平面図である(説明上第１の表示部６１の「ＣＯＰＹ」を斜線で示す）。
【００３６】
図２（ｂ）に示すように、第１の表示部６１には第１の反射パターン６ａを配列する。本実施例では、十字パターン６ａを用いる。十字形状パターン６ａの縦辺Ｗ１は０．１５ｍｍ、横辺Ｗ２は０．１５ｍｍとし、縦辺Ｗ３は０．２４５ｍｍとし、横辺Ｗ４は０．２４５ｍｍである。隣接する第１の表示パターン６ａとのピッチＰ１、Ｐ２は０．２４５ｍｍで、第１の表示部６１内を等間隔に配列する。第１の表示部６１内の第１の反射パターン６ａの面積比率が約７７％となるように調整する。なお、縦辺Ｗ１および横辺Ｗ２は、０．１３５ｍｍ〜０．１６５ｍｍの範囲内が好ましく、縦辺Ｗ１および横辺Ｗ２の長さが等しいほうがさらに好ましい。また、第１の表示部６１の面積比率が７５％〜８５％の範囲内となるのが好ましい。
【００３７】
一方、図２（ｃ）に示すように、第２の表示部６２には第２の反射パターン６ｂを配列する。本実施例では長方形パターン６ｂを用いる。長方形パターン６ｂの縦辺Ｗ１は０．１２５ｍｍ、横辺Ｗ２は０．２４５ｍｍとする。隣接する第２の表示パターン６ｂとのピッチＰ１は０．１６２ｍｍ、Ｐ２は０．２４５ｍｍで、第２の表示部６２内を等間隔に配列する。第２の表示部２内の第２の反射パターン６ｂの面積比率が約７７％となるように調整する。なお、縦辺Ｗ１は、０．１１０ｍｍ〜０．１４０ｍｍの範囲内が好ましく、第２の表示部６２の面積比率が７５％〜８５％の範囲内となるのが好ましい。
【００３８】
このように第１の表示部６１と第２の表示部６２の面積比率が同等となるように各反射パターンを形成してホログラムシートを作成する。
【００３９】
作成したホログラムシートを目視で確認したところ、目視では潜像の付加が認識できなかった。また、複写機でホログラムシートを複写してできた複写物を目視で確認したところ、第１の表示部６１である「ＣＯＰＹ」というパターンに潜像の付加が確認されて、第２の表示部６２である、「ＣＯＰＹ」以外の周辺絵柄には潜像の付加が確認されなかった。これにより第１の表示部６１である、「ＣＯＰＹ」という文字が視認できるようになり、複写機による複写物であることが確認できた。
【実施例２】
【００４０】
実施例２〜実施例４は、実施例１の基材１０に貼付したホログラム形成層３における第1の反射パターン６ａおよび、第2の反射パターン６ｂの形状は異なっているが、ホログラムの層構成及び効果は同一である。従って、同一な構成の説明は省略し、異なる構成のみを説明する。
【００４１】
図３（ａ）は、第１の表示部６１と第２の表示部６２のパターンを形成したホログラムシートを複写した複写物の平面図である(説明上第１の表示部６１の「ＣＯＰＹ」を斜線で示す）。
【００４２】
図３（ｂ）に示すように、第１の表示部６１には第１の反射パターン６ａを配列する。本実施例では、長方形パターン６ａを用いる。長方形パターン６ａの縦辺Ｗ１は０．１２５ｍｍ、横辺Ｗ２は０．１８９ｍｍとする。隣接する第１の表示パターン６ａとのピッチＰ１、Ｐ２は０．１８９ｍｍで、第１の表示部６１内を等間隔に配列する。第１の表示部６１内の第１の反射パターンの面積比率が約６６％となるよう調整する。なお、縦辺Ｗ１は、０．１１０ｍｍ〜０．１４０ｍｍの範囲内が好ましく、面積比率が６０％〜７０％の範囲内となるのが好ましい。
【００４３】
一方、図３（ｃ）に示すように、第２の表示部６２には、第２の反射パターン６ｂを配列する。本実施例では十字パターン６ｂを用いる。十字形状パターン６ｂの縦辺Ｗ１は０．１２５ｍｍ、横辺Ｗ２は０．１２５ｍｍとし、縦辺Ｗ３は０．３００ｍｍとし、横辺Ｗ４は０．３００ｍｍとした。隣接する第２の表示パターン６ｂのピッチＰ１、Ｐ２は０．３００ｍｍで、第２の表示部６２内を等間隔に配列する。第２の表示部６２内の第２の反射パターン６ｂの面積比率が約６６％となるように調整する。なお、縦辺Ｗ１および横辺Ｗ２の長さは、異なっていてもかまわないが、０．１３５ｍｍ〜０．１６５ｍｍの範囲内が好ましく、縦辺Ｗ１および横辺Ｗ２の長さが等しいほうがさらに好ましい。また、面積比率が６０％〜７０％の範囲内となるのが好ましい。
【００４４】
このように第１の表示部６１と第２の表示部６２の面積比率が同等となるように各反射パターンを形成してホログラムシートを作成した。
【００４５】
作成したホログラムシートを目視で確認したところ、目視では潜像の付加が認識できなかった。また、複写機でホログラムシートを複写してできた複写物を目視で確認したところ、第１の表示部６１である「ＣＯＰＹ」というパターンに潜像の付加が確認されて、第２の表示部６２である、「ＣＯＰＹ」以外の周辺絵柄には潜像の付加が確認されなかった。これにより第１の表示部６１である、「ＣＯＰＹ」という文字が視認できるようになり、複写機による複写物であることが確認できた。
【実施例３】
【００４６】
図４（ａ）は、第１の表示部６１と第２の表示部６２のパターンを形成したホログラムシートを複写した複写物の平面図である(説明上第１の表示部６１の「ＣＯＰＹ」を斜線で示す）。
【００４７】
図４（ｂ）に示すように、第１の表示部６１には第１の反射パターン６ａを配列する。本実施例では円パターン６ａを用いた。円パターン６ａの直径Ｗ１は０．１５０ｍｍとする。隣接する第１の表示パターン６ａとのピッチＰ１、Ｐ２は０．１８０ｍｍで、第１の表示部６１内を等間隔に配列する。第１の表示部６１内の第１の反射パターンの面積比率が約５４％となるように調整する。なお、直径Ｗ１は、０．１３５ｍｍ〜０．１６５ｍｍの範囲内が好ましく、円の形状は楕円でも良いが、正円がより好ましい。また、面積比率が４５％〜５５％の範囲内となるのが好ましい。
【００４８】
一方、図４（ｃ）に示すように、第２の表示部６２には第２の反射パターン６ｂを配列する。本実施例では十字パターン６ｂを用いる。十字形状パターン６ｂの縦辺Ｗ１は０．１５０ｍｍ、横辺Ｗ２は０．１５０ｍｍとし、縦辺Ｗ３は０．４５０ｍｍとし、横辺Ｗ４は０．４５０ｍｍとした。隣接する第２の表示パターン６ｂのピッチＰ１、Ｐ２は０．４５０ｍｍで、第２の反射パターン６ｂを等間隔に配列する。そして、第２の表示部６２内の第２の反射パターン６２の面積比率が約５５％となるようにした。なお、縦辺Ｗ１および横辺Ｗ２の長さは、異なっていてもかまわないが、０．１３５ｍｍ〜０．１６５ｍｍの範囲内が好ましく、縦辺Ｗ１および横辺Ｗ２の長さが等しいほうがさらに好ましい。また、面積比率が４５％〜５５％の範囲内となるのが好ましい。
【００４９】
このように第１の表示部６１と第２の表示部６２の面積比率が同等となるように各反射パターンを形成してホログラムシートを作成した。
【００５０】
作成したホログラムシートを目視で確認したところ、目視では潜像の付加が認識できなかった。また、複写機でホログラムシートを複写してできた複写物を目視で確認したところ、第１の表示部６１である「ＣＯＰＹ」というパターンに潜像の付加が確認されて、第２の表示部６２である、「ＣＯＰＹ」以外の周辺絵柄には潜像の付加が確認されなかった。これにより第１の表示部６１である、「ＣＯＰＹ」という文字が視認できるようになり、複写機による複写物であることが確認できた。
【実施例４】
【００５１】
図５（ａ）は、第１の表示部６１と第２の表示部６２のパターンを形成したホログラムシートを複写した複写物の平面図である(説明上第１の表示部６１の「ＣＯＰＹ」の周辺パターンを斜線で示す）。本実施例は、実施例１の表示部６１と第２の表示部６２の各反射パターンとを入れ替えたものであり、第１の表示部６１が第２の表示部６２である「ＣＯＰＹ」を囲むように配列した。
【００５２】
作成したホログラムシートを目視で確認したところ、目視では潜像の付加が認識できなかった。しかし、複写機でホログラムシートを複写してできた複写物を目視で確認したところ、第１の表示部６１である「ＣＯＰＹ」以外の周辺絵柄に潜像の付加が確認されて、第２の表示部６２である「ＣＯＰＹ」は潜像の付加が確認されなかった。これにより第２の表示部６２である、「ＣＯＰＹ」という文字が視認できるようになり、複写機による複写物であることが確認できた。
【００５３】
このように第１の表示部６１と第２の表示部６２の配置を入れ替えても良いし、その配置は特に限定するものではないが、好ましくは、第1の表示部６１と第2の表示部６２が隣接して配置されると良い。このことにより、潜像領域と非潜像領域の境界部が明確になるため、複写後の複写部での潜像領域の視認性が向上する。なお、第１の表示部６１および第２の表示部６２でなる情報としては、文字、数字、図柄、マークなど適宜選択すれば良いし、その組み合わせでも良い。
【００５４】
また、第１の反射パターン６ａおよび第２の反射パターン６ｂの形状は特に限定するものではなく、円、多角形、図形、マーク、文字、異方性を有する楕円、数字などを適宜選択すれば良いし、その組み合わせでも良いが、好ましくは、十字パターンや長方形、網点形状であると良い。これらの組み合わせにより、目視による判別がより困難となるだけでなく、複写後の潜像領域がより明確となり、視認性が高まる効果がある。また複写で用いる複写機は特に限定されるものではなく、市販されている製品を適宜選択すれば良い。
【００５５】
また、図示はしないが、第１の表示部６１と第２の表示部６２以外にも、複写後に潜像領域となる第３の表示部や、複写後に非潜像領域となる第４の表示部を設けても良い。このように複写後に潜像領域や非潜像領域となる表示部は、1種類である必要はなく、それぞれ２種類以上設けても良い。ただし、潜像領域となる各表示部の面積比率および、潜像領域となる各表示部の面積比率が同等、もしくはほぼ同等でなければならない。これにより、複写後の複写物のデザイン性に自由度が向上する。
【００５６】
このように本発明では、目視による潜像の付加がさらに認識しづらくすることができる効果があるだけでなく、デザイン的にも自由度を向上させ、偽造防止を求める用途をもさらに広げることのできるホログラムシートを提供できる効果がある。また、ホログラムのデザインの一部として盛り込むことができ、デザイン性の自由度も高いので違和感無く真贋判定機能を付加することができる。また、本願発明の製造方法については、一般的なディメタライズド・ホログラム製造工程で作成できるので、特殊な追加加工を必要としない。さらに、真贋判定時に特殊な真贋判定機器を必要とせず、複写機による複写物から目視での真贋判定が可能である。
【産業上の利用可能性】
【００５７】
本発明のホログラムシートは、従来のホログラムの機能に加え、複写機による真贋判定機能を付加することができた。さらに、債券、商品券、ギフトカード等有価証券類、印鑑登録証等証明書類、カード、その他ゴミ処理券、等に利用することができ、優れた実用上の効果を発揮する技術である。
【符号の説明】
【００５８】
１  ホログラムシート
２  ホログラムシート基材
２ａ  シート基材
２ｂ  剥離層
３  ホログラム形成層
４  ホログラム加工層
５  回折格子
５ａ  光反射性部材を密着した凹凸
５ｂ  光透過性部材から成る凹凸
６  ホログラム画像領域
６ａ  第１の反射パターン
６ｂ  第２の反射パターン
６ｃ  光透過性部材から成る透明領域
７  マスク層
８  接着剤層
１０  基材
６１  第１の表示部
６２  第２の表示部
Ｗ、Ｗ１、Ｗ２、Ｗ３、Ｗ４  反射パターンの大きさ
Ｐ、Ｐ１、Ｐ２  ピッチ
【図１】
2010197666.tif 000003
【図２】
2010197666.tif 000004
【図３】
2010197666.tif 000005
【図４】
2010197666.tif 000006
【図５】
2010197666.tif 000007